(57)【特許請求の範囲】
【請求項１】
前端部を中心にして回動動作することにより後端部が上下動するように構成した傾動体によって、着座面後部を支持させておき、当該傾動体の後端部に、背もたれ面下部を変形又は移動可能に支持するランバーサポート部を設け、傾動体を外部からの操作によって傾動させ、前記着座面後部の着座面前部に対する傾斜を自在に又は段階的に変更し得るようにし、且つ傾動体が前傾するにつれて、前記ランバーサポート部が前方に突出することにより、背もたれ面のうち背もたれ面下部のみが前方に突出するように構成したことを特徴とする椅子。
【請求項２】
座と、ロッキング動作可能な背とを備え、背座境界部分を移動又は変形可能にした椅子であって、前端部を中心にして回動動作することにより後端部が上下動するように構成した傾動体によって、着座面後部を支持させておき、当該傾動体の後端部に、背もたれ面下部を変形又は移動可能に支持するランバーサポート部を設け、傾動体を外部からの操作によって傾動させ、前記着座面後部の着座面前部に対する傾斜を自在に又は段階的に変更し得るようにし、且つ傾動体が前傾するにつれて、前記ランバーサポート部が前記背のロッキング動作とは独立して前方に突出することにより、背もたれ面のうち背もたれ面下部のみが前方に突出するように構成したことを特徴とする椅子。
【請求項３】
背もたれ面下部を形成する張り部材の左右をランバーサポート部により支持させ、このランバーサポート部の前方への突出にしたがって前記張り部材の張力が増加するように構成した請求項１又は２記載の椅子。
【請求項４】
長さを自在に変更できる伸縮部材の一端を、傾動体を支持する支持部材に回動自在に結合するとともに、他端を傾動体の回動中心から偏位した部位に回動自在に結合し、操作部の操作により、前記伸縮部材を伸縮自在なフリー状態と、長さが固定されるロック状態とに切り替えられるようにしている請求項１、２又は３記載の椅子。
【発明の詳細な説明】
【０００１】
【発明の属する技術分野】
本発明は、座り心地の改善に寄与し得る椅子に関する。
【０００２】
【従来の技術】
従来、オフィスなどで使用される椅子において、座り心地を改善する目的で、種々の工夫がなされている。例えば、着座面の後部を後端が持ち上がるように若干傾斜させたり、背もたれ面の下部を部分的に前方にせり出させたもの等がその一例である。
【０００３】
このような態様としているのは、着座面後部の傾斜角度が、着座者が着座した際の骨盤角度を起こすものとなり、また、背もたれ面の下部が、着座者の腰部をサポートする形状となることが、快適で安定した座り心地をもたらすからである。
【０００４】
【発明が解決しようとする課題】
ところが、この部分が画一的な形状であると、体格や座り方の違い等によっては、逆に着座者の骨盤や腰部が安定して支持されず、人によっては座り心地に不満を覚える場合もあり得る。
【０００５】
本発明は上記問題を解決するために、背座境界部分を着座者の好みの位置に調整できるように構成し、着座者の体格や座り方に拘わらず、好適な座り心地を得られるようにしたものである。
【０００６】
【課題を解決するための手段】
すなわち、本発明に係る椅子は、前端部を中心にして回動動作することにより後端部が上下動するように構成した傾動体によって、着座面後部を支持させておき、当該傾動体の後端部に、背もたれ面下部を変形又は移動可能に支持するランバーサポート部を設け、傾動体を外部からの操作によって傾動させ、前記着座面後部の着座面前部に対する傾斜を自在に又は段階的に変更し得るようにし、且つ傾動体が前傾するにつれて、前記ランバーサポート部が前方に突出することにより、背もたれ面のうち背もたれ面下部のみが前方に突出するように構成したことを特徴とする。
また、本発明に係る椅子は、座と、ロッキング動作可能な背とを備え、背座境界部分を移動又は変形可能にしたものであって、前端部を中心にして回動動作することにより後端部が上下動するように構成した傾動体によって、着座面後部を支持させておき、当該傾動体の後端部に、背もたれ面下部を変形又は移動可能に支持するランバーサポート部を設け、傾動体を外部からの操作によって傾動させ、前記着座面後部の着座面前部に対する傾斜を自在に又は段階的に変更し得るようにし、且つ傾動体が前傾するにつれて、前記ランバーサポート部が前記背のロッキング動作とは独立して前方に突出することにより、背もたれ面のうち背もたれ面下部が前方に突出するように構成したことを特徴とする。
【０００７】
このようなものであれば、着座面の形状を、着座者が着座した際の骨盤角度と着座面後部の傾斜角度とが一致するように調整することができるので、座り心地において極めて優れたものとすることができる。
【０００８】
また、着座者の腰部を後方から押圧支持することが、着座時の安定感やフィット感の向上に寄与するが、このような要求を簡単な構成で実現するには、背もたれ面下部が、着座面後部の変形又は移動に連動して、変形又は移動するようにしたものが好ましい。
【０００９】
背もたれ面下部の好ましい変形又は移動の態様としては、着座面後部の前傾に伴って、背もたれ面下部が前方に突出するように構成したものが挙げられる。例えば姿勢良く着座した場合には、骨盤角度がより鉛直に近い状態となり、かつ腰部は前方に動くため、これに対応することができるからである。
【００１０】
着座面後部を変形又は移動可能とするための具体的な実施態様としては、前端部を中心にして回動動作することにより後端部が上下動するように構成した傾動体によって、着座面後部を支持させておき、この傾動体を外部からの操作によって傾動させ、前記着座面後部の着座面前部に対する傾斜を自在に又は段階的に変更し得るようにしたものが好ましい。
【００１１】
一方、背もたれ面下部を変形又は移動可能とするための具体的な実施態様としては、傾動体の後端部に、背もたれ面下部を変形又は移動可能に支持するランバーサポート部を設け、傾動体が前傾するにつれて前記ランバーサポート部が前方に突出して、この背もたれ面下部が前方に突出するように構成したものが好ましい。
【００１２】
背もたれ下部を前方に突出させる場合には、この背もたれ面下部に緊張感を与えることが、座り心地を更に向上させる点から好ましく、このような機能を簡単な構造で実現するには、背もたれ面を形成する張り部材の左右をランバーサポート部により支持させ、このランバーサポート部の前方への突出にしたがって前記張り部材の張力が増加するように構成したものが望ましい。
【００１３】
傾動体の傾斜角度を変更したり固定したりするための好ましい実施形態としては、長さを自在に変更できる伸縮部材の一端を、傾動体を支持する背支桿等の支持部材に回動自在に結合するとともに、他端を傾動体の回動中心から偏位した部位に回動自在に結合し、操作部の操作により、前記伸縮部材を伸縮自在なフリー状態と、その長さが固定されるロック状態とに切り替えられるようにしているものが挙げられる。ここで支持部材とは、傾動体を直接あるいは間接的に支持するものであればよく、例えば背支桿や座受、脚体等を挙げることができる。
【００１４】
背支桿の後方への傾動に伴って座受を後方へ移動させるように構成したものにおいて、より好ましい実施態様としては、傾動体を背支桿に対し回動自在に結合したものを挙げることができる。
【００１５】
【発明の実施の形態】
以下、本発明の一実施の形態について図面を参照して説明する。
【００１６】
図１は、本発明の一実施形態を示す椅子１の要部を示す斜視図である。この椅子１は、ベース脚２と、このベース脚２に取り付けられた支基３と、この支基３に四辺リンク機構６を介して支持された座４及び背５とを備えたもので、この四辺リンク機構６の作用で、背５を後方へロッキング動作させると、それに連れて座４が後方へ移動するように構成してある。
【００１７】
支基３は、長尺状のもので、ベース脚２を構成する支柱２１の上端部にその下端部を嵌合固定され、斜め前方に延びるように配置されている。
【００１８】
座４は、座受４１上にクッション等を装着してなるものであり、この座受４１は、座フレーム４２を具備する。
【００１９】
背５は、枠状をなす背支桿５１に張り部材５２を装着してなるものであり、外観上、座４の後縁から連続して立ち上がる形状をなす。この背支桿５１は、主として背もたれ面に対応する部分である上部フレーム５１１と、座受４１の下方に位置する下部フレーム５１２とを具備するもので、これら上部フレーム５１１と下部フレーム５１２とを水平左右に延びる支軸Ｓ１を介して互いに回動可能に連結するとともに、その回動を抑止可能な図示しない抑止機構を設けている。この抑止機構は、例えば上部フレーム５１１と下部フレーム５１２とを、それらの間にピンを差し込んで回動不能に固定するもので、ピンを挿脱可能に構成しておくことにより、上部フレーム５１１と下部フレーム５１２とを互いに回動可能とし、上部フレーム５１１のみを傾動させ得る回動可能態様と、これらを互いに固定結合し、背支桿５１全体をロッキング動作させ得る回動不能態様とに、使用者が切り替えられるようにしてある。
【００２０】
四辺リンク機構６は、図２に示すように、４つのリンクメンバ６１〜６４の端部同士を支軸Ｓ１〜Ｓ４を介してそれぞれ回転可能に結合し、各結合点により側面視不等辺四角形を形成するようにしたものである。具体的には、支基３に下リンクメンバ６１、座フレーム４２に上リンクメンバ６２、背もたれ下部フレーム５１２に後リンクメンバ６３としての機能をそれぞれ兼ねさせ、支基３と座フレーム４２との前端部間に専用の前リンクメンバ６４を配置してなる。
【００２１】
しかして本実施例では、特に図３に示すように、座フレーム４２の後方に傾動体７を設け、この傾動体７に着座面４ａ、４ｂを構成するクッション等の後端部を下方から支持させるとともに、この傾動体７の後端にランバーサポート部１０を一体に設け、このランバーサポート部１０に背もたれ面下部５ｂを形成する張り部材５２を支持させている。そして、これら一体をなす傾動体７及びランバーサポート部１０を、操作部たる操作レバー８の操作によって、駆動機構１１を介して移動させ、着座面後部４ｂと背もたれ面下部５ｂとからなる背座境界部分Ｋを変形させ得るようにしている。
【００２２】
各部を詳述すると、傾動体７は、前後に延びる左右一対のフレーム状のもので、支持機構９を介して、背支桿５１に位置変更可能に支持させてある。この支持機構９は、傾動体７を、その前端部に設定した傾動支点Ｘにおいて、前記支軸Ｓ１を介して下部フレーム５１２に回動自在に結合するものである。そして、この傾動体７によって、着座面後部４ｂが、着座面前部４ａと略面一となる下位置Ｐ（図３の二点鎖線で示す）と、この下位置Ｐからさらに後端部を持ち上げた上位置Ｑとの間で傾動するように、支持させてある。
【００２３】
一方、この傾動体７を駆動する駆動機構１１は、長さを自在に変更できる伸縮部材たるガススプリング１１１の一端を、支持部材たる背支桿５１（より具体的には下部フレーム５１２）に回動自在に固定するとともに、他端を傾動体７の傾動支点Ｘから偏位した部位に回動自在に固定してなるものである。そして、座５の下面に設けた操作レバー８とガススプリング１１１の操作部１１１ａとを、リンクワイヤＬＷによって連結し、この操作レバー８の操作により、ガススプリング１１１を伸縮自在なフリー状態と、その長さが固定されるロック状態とに切り替えられるようにしている。また、このガススプリング１１１をフリーにした状態では、その伸張力によって傾動体７に前傾移動する力が常に作用するようにしてある。
【００２４】
ランバーサポート部１０は、側面視、傾動体７の後端から略直角に屈曲して一体に延びてなるフレーム状のもので、背もたれ面下部５ｂを形成する張り部材５２の左右側縁部を支持する。そして、傾動体７が下位置Ｐから上位置Ｑに移動するにつれて前方に突出し、背もたれ面下部５ｂを、その部分の張り部材５２の張力を増加させつつ前方に突出させる。このランバーサポート部１０の先端部分には、後方に向けて円弧状に屈曲した屈曲部１０１を設けており、腰骨の当たり感覚を良くしている。そして、上部フレーム５１１と下部フレーム５１２とを互いに固定結合した前記回動不能態様において、傾動体７を下位置Ｐに設定した場合には、この傾動体７が通常の背もたれ面を形成する位置に位置し、同回動不能態様において、傾動体７を下位置Ｐよりも上位置Ｑ側に移動させた場合には、その分だけ前方に突出するように設定してある。
【００２５】
このような構成の本実施形態に係る椅子１において、傾動体７及びランバーサポート部１０の位置調整をする場合には、まず操作レバー８を操作して、ガススプリング１１１をフリーにする。そしてその伸張力に逆らって傾動体７及びランバーサポート部１０を後傾方向に操作し、所望の角度になったところで、操作レバー８を反対操作し、ガススプリング１１１をロック状態にして、傾動体７及びランバーサポート部１０を角度変更不能に固定する。より具体的には、着座者が背５にもたれながらこれらの位置調整を行えばよい。
【００２６】
したがって、本実施形態によれば、着座者個々の体格や座り方等の違いに拘わらず、背座境界部分Ｋを、移動又は変形させて、着座者の骨盤角度や、着座者の腰部に沿ったものとすることができるので座り心地において極めて優れた椅子１を提供することができる。
【００２７】
さらに、本実施形態では、ランバーサポート部１０の前方への突出にしたがって背もたれ面下部５ｂを形成する張り部材５２の張力が増加するように構成してあるため、背もたれ面下部５ｂを前方に突出させた場合に、この背もたれ面下部５ｂに緊張感が与えられ、座り心地の向上により寄与し得る。
【００２８】
なお本発明は、上述した実施形態に限定されるものではない。
【００２９】
例えば、図４に示すように、ガススプリング１１１をフリーにした状態で、その伸張力によって傾動体７に後傾移動する力が常に作用するようにしてもよい。この場合に、傾動体７及びランバーサポート部１０の位置調整をするには、まず操作レバー８を操作して、ガススプリング１１１をフリーにする。そしてその伸張力に逆らって傾動体７及びランバーサポート部１０を前傾方向に操作し、所望の角度になったところで、操作レバー８を反対操作し、ガススプリング１１１をロック状態にして、傾動体７及びランバーサポート部１０を角度変更不能に固定する。この図で、前記実施形態に対応する部材には同一の符号を付している。
【００３０】
また、前記実施形態のように、傾動体７を上位置Ｑと下位置Ｐとの間で無段階に固定できるようにするほか、例えばラチェット機構を用い、傾動体を予め定めた複数の位置で段階的に固定できるようにしても構わない。
【００３１】
さらに、傾動体を座受に支持させてもよい。
【００３２】
加えて、本発明を、上記ロッキング椅子のみならず、ロッキング動作できない背座固定タイプの椅子に適用しても、同様の作用効果を奏し得る。
【００３３】
【発明の効果】
以上に詳述したように本発明によれば、着座面の形状を、着座者が着座した際の骨盤角度と着座面後部の傾斜角度とが一致するように調整することができるので、座り心地において極めて優れたものとすることができる。
【００３４】
また、背もたれ面下部が、着座面後部の変形又は移動に連動して、変形又は移動するようにしたものであれば、着座者の腰部を後方から押圧支持することができ、着座時の安定感やフィット感の向上により寄与する。
【００３５】
具体的には、着座面後部の前傾に伴って、背もたれ面下部が前方に突出するように構成したものが好ましい。例えば姿勢良く着座した場合など、骨盤角度をより鉛直に近い状態にした場合には、着座面後部を前傾させるが、その場合、腰椎は前方に動くためこれに対応することができるからである。
【００３６】
さらに、前端部を軸にして回動動作することにより後端部が上下動するように構成した傾動体によって、着座面後部を支持させておき、この傾動体を外部からの操作によって傾動させ、前記着座面後部の着座面前部に対する傾斜を自在に又は段階的に変更し得るようにしたものであれば、簡単な構成で本発明を実現することができる。
【００３７】
一方、背もたれ面下部を変形又は移動可能とするための具体的な実施態様としては、傾動体の後端部に、背もたれ面下部を変形又は移動可能に支持するランバーサポート部を設け、傾動体が前傾するにつれて前記ランバーサポート部が前方に突出して、この背もたれ面下部が前方に突出するように構成したものが好ましい。
【００３８】
背もたれ面下部を前方に突出させる場合には、この背もたれ面下部に緊張感を与えることが、座り心地を更に向上させる点で好ましいが、背もたれ面下部を形成する張り部材の左右をランバーサポート部により支持させ、このランバーサポート部の前方への突出にしたがって前記張り部材の張力が増加するように構成したものであれば、このような機能を簡単な構造で実現することができる。
【００３９】
長さを自在に変更できる伸縮部材の一端を、傾動体を支持する背支桿等の支持部材に回動自在に結合するとともに、他端を傾動体の回動中心から偏位した部位に回動自在に結合し、操作部の操作により、前記伸縮部材を伸縮自在なフリー状態と、その長さで固定されるロック状態とに切り替えられるようにしたものであれば、傾動体を傾動駆動させるための機構と、傾動体を固定するための機構とを一体的に構成できるので、部品点数の削減等を図ることができ、また使い勝手にも優れたものとすることができる。
【図面の簡単な説明】
【図１】本発明の一実施形態における椅子の内部基本構造を示す部分斜視図。
【図２】同実施形態における椅子の特に四辺リンク構造を示す概略側面図。
【図３】同実施形態における傾動体及びランバーサポート部を主として示す部分概略側断面図。
【図４】本発明の他の実施形態における傾動体及びランバーサポート部を主として示す部分側断面図。
【符号の説明】
１・・・椅子
４ｂ・・・着座面後部
５１・・・背支桿
５２・・・張り部材
５ｂ・・・背もたれ面下部
７・・・傾動体
８・・・操作部
９・・・支持機構
１０・・・ランバーサポート部
１１１・・・伸縮部材（ガススプリング）
Ｋ・・・背座境界部分
Ｐ・・・下位置
Ｑ・・・上位置
【図１】
0003986745.tif 000002
【図２】
0003986745.tif 000003
【図３】
0003986745.tif 000004
【図４】
0003986745.tif 000005